(57)【特許請求の範囲】
【請求項１】
モータと、モータの回転シャフトに固定された羽根車と、前記羽根車を収容しポンプ室を形成するためのケーシングを備え、通水口を持つ仕切板およびパッキンを介して前記ケーシングに結合され、かつ、内部に呼び水用タンクを形成するケーシングカバーよりなり、かつ、前記ケーシングカバーに流水検知手段を設けた自吸式ポンプであって、流水検知手段における作動片が前記ケーシングカバー内の吸込水路部分の適所に揺動自在に支持され、前記作動片はその一方を流水作動部とするとともに他方に重り兼用の磁石を有し、吸込水路における前記作動片の下流側には他方の重りに対応する受け部を形成し、前記受け部に重りを部分的に支持する凸起を形成し、凸起の一方より前記ケーシングカバーの開口部に向け任意の長さの勾配を設け、前記ケーシングカバーの外側における流水による作動片の揺動に際して前記磁石が近接する位置に、前記磁石により動作するリードスイッチを設け、更に前記ケーシングカバーには、その内部の作動片取付け部の一方に、作動片の左右を逆に装着した場合に該作動片の端部と緩衝する凸起を有することを特徴とする自吸式ポンプ。
【発明の詳細な説明】
【０００１】
【発明の属する技術分野】
本発明は、流水検知手段を有する自吸式ポンプに関する。
【０００２】
【従来の技術】
一般に自吸式ポンプは、羽根車を収容するケーシングと、ケーシングの羽根車収容部内に水を充満させておくための呼び水用のケーシングカバーを有している。そして、流水検知の手段として、流水によって作動する作動片をポンプケーシングカバー内の流路に内蔵させ、この作動片に磁石を装着するとともに、ケーシングカバーの外側に前記磁石によって動作するリードスイッチを設けている。
【０００３】
図７は従来の自吸式ポンプの断面図、図８は同自吸式ポンプにおけるケーシングカバーの平面図、図９は図８に示すケーシングカバーのＫ−Ｌ−Ｍ−Ｎ断面図、図１０は図８のケーシングカバーのＯ−Ｏ断面図である。
【０００４】
図７〜図１０に示すように、モータ１には防錆された鉄板よりなるブラケット２が取り付けられ、このブラケット２に、耐食性、耐錆性、軽量化するために樹脂成形品よりなり、かつ、モータ１と反対側端が開口したケーシング３を取り付けている。
【０００５】
ケーシング３内には、モータ１と接続され、かつ、鋼丸材を切削して作られた回転シャフト４を挿入してあり、回転シャフト４の先端にはねじ部を形成している。また、ケーシング３は、偶数枚の羽根５と前面シュラウド６を有する密閉式の羽根車７を収容しているポンプ室８と、送水室９を形成している。羽根車７は耐食性、耐錆性、軽量化するために、また、溶着の相性のよい熱可塑性の樹脂成形品よりなっている。そして黄銅丸棒切削材または、黄銅のローレット材のねじ加工品をインサートし、このねじ加工品を回転シャフト４のねじ部に螺合して羽根車７を回転シャフト４に結合している。さらに羽根車７の筒状となっている回転シャフト結合部の外周部には、カーボンとばねおよびゴムパッキンよりなる回転側メカニカルシール１０を設けてあり、この回転側メカニカルシール１０をケーシング３のポンプ室８の回転シャフト４の貫通部に装着されたセラミックとゴムパッキンよりなる固定側メカニカルシール１１に摺動させて水漏れを防止するようにしている。
【０００６】
ケーシング３の開口側には、所定の位置に通水口を有する仕切板１２とパッキン１３を介在させてケーシングカバー１４の開口側を結合させている。仕切板１２は耐食性、耐錆性、軽量化するために、ＳＵＳ板のプレス品で形成され、ケーシングカバー１４は内部に吸込み水路１５、呼び水用タンク１６を有し、上部に吸込口１７、吐出口１８を持っている。なお、ケーシングカバー１４は耐食性、耐錆性、軽量化するために樹脂成形品で構成されている。
【０００７】
流水検知手段は以下のように構成されている。すなわち、吸込み水路１５の適所に作動片１９を揺動自在に支持し、この作動片１９の一方を流水作動部２０とするとともに、他方に磁石２１を設けて重り２２としている。前記ケーシングカバー１４内の吸込み水路１５には、作動片１９の下流側に位置し、かつ、他方側の重り２２を受ける受け部２３を設け、受け部２３には重り２２を部分的に支持する凸起２４を設けている。また、前記ケーシングカバー１４の外側には、流水による作動片１９の揺動に際して、磁石２１が近接する位置に、磁石２１により作動するリードスイッチ２５を設けている。
【０００８】
つぎに、上記のように構成された自吸式ポンプの動作を説明する。
【０００９】
まず、あらかじめケーシングカバー１４内に呼び水を注入する。ケーシングカバー１４内に注入された水は、吸込み水路１５、呼び水用タンク１６およびケーシング３内のポンプ室８と送水室９を充満する。そして、始動時ではモータ１の回転が回転シャフト４により羽根車７に伝達され、ケーシング３内のポンプ室８に収容された羽根車７が回転する。するとポンプ室８内の水が羽根車７によって掻き回され、水中に空気が混入する。水と空気の混合水は、羽根車７の外周に沿ってポンプ室８、送水室９から押し出され、ケーシングカバー１４の呼び水用タンク１６に流れ込み、水と一緒に押し出された空気のみが吐出口１８より外部へ流出する。この状態が続くとケーシング３内のポンプ室８の空気圧が徐々に低くなり、外部との圧力差によりケーシングカバー１４の吸込口１７から水が流入し、本格的な水送出状態に入るとケーシングカバー１４の吸込み水路１５、呼び水用タンク１６には水が充満し、溢れた水が吐出口１８より外部へ流出する。このとき、羽根車７の回転は水に遠心力を与え、前面シュラウド６は羽根車７内へ導水された水流の昇圧をする作用をする。また、ポンプ室８および送水室９は羽根車７から流出した水流をケーシングカバー１４の呼び水用タンク１６へ吐出する作用を行う。また、ケーシングカバー１４においては、吸込口１７よりケーシング３のポンプ室８への導水とケーシング３の送水室９からケーシングカバー１４の呼び水用タンク１６への吐出および吐出口１８より外部への吐出する作用を行う。さらに、通水口を持つ仕切板１２は、羽根車７の水流の昇圧作用を行う。
【００１０】
また、本格的な水送出状態に入ると、ケーシングカバー１４の吸込み水路１５に設けられた作動片１９の流水作動部２０は、水流により下流側へ押され、他方側の重り２２は上流側へ押し上げられ、磁石２１がリードスイッチ２５に近接するので、リードスイッチ２５が動作して流水検知信号を発生する。
【００１１】
ポンプが動作していない場合、あるいは流水水量が少量となった場合は、作動片１９の他方側の重り２２は磁石２１の自重により戻り方向に揺動して、重り２２を部分的に支持する凸起２４により待機位置に保持され、磁石２１がリードスイッチ２５から離れるので流水検知信号は発生しない。
【００１２】
【発明が解決しようとする課題】
しかしながら、上記のような構成の自吸式ポンプにおいては、ケーシングカバー１４の吸込み水路１５に流水検知手段の作動片１９を装着する際、作動片１９の他方側の重り２２の端部が、受け部２３に設けられた凸起２４の端部に挟まれた状態で組み立てられ、作動片１９の揺動が不能となり、流水検知信号を発生しないという問題が発生する。また、作動片１９の左右を逆に装着した場合も同様な問題が生じ、流水検知をする自吸式ポンプとしての品質を低下させる原因となっている。
【００１３】
本発明は上記従来の問題に留意し、ケーシングカバーへの流水検知手段の作動片の組み込みを確実なものとし、流水検知の優れた自吸式ポンプを提供することを目的とする。
【００１４】
【課題を解決するための手段】
前記の目的を達成するため、本発明は流水検知手段を備えた自吸式ポンプであって、ケーシングカバーの吸込み水路の下流側に流水検知手段の作動片の重り受け部を設け、その部分支持部の凸起部の先端よりケーシングカバーの開口部に向かって任意の長さの勾配を形成した構成とする。また、前記のケーシングカバーの吸込み水路の作動片取付け部の一方に、作動片の左右を逆に装着した場合に該作動片の端部と緩衝する凸起を形成した構成とする。
【００１５】
本発明によれば、ケーシングカバーへの作動片装着時、作動片の重り受け部の部分支持部の凸起部の勾配により、あるいは吸込み水路の作動片取付け部の凸起により作動片の左右逆装着を防止でき、作動片をケーシングカバーの所定の位置に確実に装着できる。
【００１６】
【発明の実施の形態】
本発明は、モータと、モータの回転シャフトに固定された羽根車と、羽根車を収容しポンプ室を形成するためのケーシングを備え、通水口を持つ仕切板およびパッキンを介してケーシングに結合され、かつ、内部に呼び水用タンクを形成するケーシングカバーよりなり、かつ、ケーシングカバーに流水検知手段を設けた自吸式ポンプであって、流水検知手段における作動片がケーシングカバー内の吸込水路部分の適所に揺動自在に支持され、作動片はその一方を流水作動部とするとともに他方に重り兼用の磁石を有し、吸込水路における作動片の下流側には他方の重りに対応する受け部を形成し、受け部に重りを部分的に支持する凸起を形成し、凸起の一方よりケーシングカバーの開口部に向け任意の長さの勾配を設け、ケーシングカバーの外側における流水による作動片の揺動に際して磁石が近接する位置に、磁石により動作するリードスイッチを設け、更に前記ケーシングカバーには、その内部の作動片取付け部の一方に、作動片の左右を逆に装着した場合に該作動片の端部と緩衝する凸起を有する構成の自吸式ポンプである。本発明は、ケーシングカバーへの作動片装着時に、作動片の左右を逆に装着した場合には該作動片の端部と緩衝するように設けた凸起と、作動片の重り受け部の部分支持部の凸起部に設けた勾配によって、作動片をケーシングカバーの所定の位置に確実に装着できるという作用を有する。
【００１８】
以下、本発明の実施の形態について、図面を参照して説明する。
【００１９】
（実施の形態１）
図１は本発明の実施の形態１の自吸式ポンプにおけるケーシングカバーの平面図、図２は図１のケーシングカバーにおけるＡ−Ｂ−Ｃ−Ｄ断面図、図３は図１のケーシングカバーにおけるＥ−Ｅ断面図である。なお、ケーシングカバーを除く構成としては先に説明した従来の技術の自吸式ポンプと同一構成であり、自吸式ポンプ構成の説明は省略する。また、従来の技術と同じ構成部には同じ符号を付与し、その構成および動作の説明は省略する。
【００２０】
本実施の形態１の自吸式ポンプの特徴は、流水検知手段を設けるケーシングカバーにあり、すなわち、図１〜図３に示すように、ケーシングカバー１４の吸込み水路１５の下流側に設けられた、作動片１９の受け部２３の部分支持部の凸起２４の先端より、ケーシングカバー１４の開口部に向かって、任意の長さの勾配２６を形成している。
【００２１】
このように構成したことにより、作動片１９の受け部２３の部分支持部の凸起２４の先端より、ケーシングカバー１４の開口部に向かって設けられた任意の長さの勾配２６は、ケーシングカバー１４への作動片１９の装着時、作動片１９の重り２２部分が部分支持部の凸起２４の先端よりの勾配２６をガイドとし、作動片１９をケーシングカバー１４の所定の位置に確実に装着することができる。
【００２２】
（実施の形態２）
図４は本発明の実施の形態２の自吸式ポンプにおけるケーシングカバーの平面図、図５は図４のケーシングカバーのＦ−Ｇ−Ｈ−Ｉ断面図、図６は図４のケーシングカバーのＪ−Ｊ断面図である。
【００２３】
この実施の形態２の特徴は、前記実施の形態１のケーシングカバー１４において、図４、図６に示すように、ケーシングカバー１４の作動片１９取付け部の一方に凸起２７を形成した構成にある。
【００２４】
この構成によれば、ケーシングカバー１４への作動片１９の装着時、作動片１９の左右を逆に装着した場合、作動片１９の端部と凸起２７が緩衝し装着不能となり、作動片１９の左右逆装着防止が可能となり、作動片１９をケーシングカバー１４の所定の位置に確実に装着することができる。
【００２５】
【発明の効果】
以上の説明より明らかなように、本発明の自吸式ポンプは、流水検知手段の作動片を収容するケーシングカバーにおいて、ケーシングカバーの吸込み水路の下流側に設けられた、作動片の重り受け部の部分支持部の凸起部の先端より、ケーシングカバーの開口部に向かって任意の長さの勾配を形成し、作動片装着時のガイドとなるように構成したものであり、また、ケーシングカバーの吸込み水路の作動片取付け部の一方に凸起を形成し、作動片の左右逆装着防止を図る構成としたので、ケーシングカバーへの作動片装着時、作動片をケーシングカバーの所定の位置に確実に装着でき、自吸式ポンプとしての品質を高めることができ、流水検知の優れた自吸式ポンプを提供することができる。
【図面の簡単な説明】
【図１】本発明の実施の形態１の自吸式ポンプにおけるケーシングカバーの平面図
【図２】図１のケーシングカバーのＡ−Ｂ−Ｃ−Ｄ断面図
【図３】図１のケーシングカバーのＥ−Ｅ断面図
【図４】本発明の実施の形態２の自吸式ポンプにおけるケーシングカバーの平面図
【図５】図４のケーシングカバーのＦ−Ｇ−Ｈ−Ｉ断面図
【図６】図４のケーシングカバーのＪ−Ｊ断面図
【図７】従来の自吸式ポンプの断面図
【図８】同自吸式ポンプにおけるケーシングカバーの平面図
【図９】図８のケーシングカバーのＫ−Ｌ−Ｍ−Ｎ断面図
【図１０】図８のケーシングカバーのＯ−Ｏ断面図
【符号の説明】
１  モータ
２  ブラケット
３  ケーシング
４  回転シャフト
５  羽根
６  前面シュラウド
７  羽根車
８  ポンプ室
９  送水室
１０  回転側メカニカルシール
１１  固定側メカニカルシール
１２  仕切板
１３  パッキン
１４  ケーシングカバー
１５  吸込み水路
１６  呼び水用タンク
１７  吸込口
１８  吐出口
１９  作動片
２０  流水作動部
２１  磁石
２２  重り
２３  受け部
２４  凸起
２５  リードスイッチ
２６  勾配
２７  凸起
【図１】
0004239406.tif 000002
【図２】
0004239406.tif 000003
【図３】
0004239406.tif 000004
【図４】
0004239406.tif 000005
【図５】
0004239406.tif 000006
【図６】
0004239406.tif 000007
【図７】
0004239406.tif 000008
【図８】
0004239406.tif 000009
【図９】
0004239406.tif 000010
【図１０】
0004239406.tif 000011